(57)【要約】　　　（修正有）【課題】方向性のある調整可能なマウントにより、方向性のある光源を提供する。【解決手段】照明アセンブリ１０はサポートの構造体の上に取り付けるため適したサポートのブラケット２０と、該サポートのブラケットに調整できる様に接続されたハウジング４０を含んでいる。方向性のある光源が該ハウジング４０内に取り付けられている。該サポートのブラケット２０と該ハウジング４０に接続されたカムフォロア／ロック機構により該サポートのブラケット２０に対し選択した位置に該ハウジング４０を角度をつけて調整し、該選択した位置に該ハウジング４０をロックする。【選択図】　　　図１
2004006274.tif 000002
【特許請求の範囲】
【請求項１】
（ａ）サポートの構造体の上に取り付ける様に適したサポートのブラケットと、
（ｂ）前記サポートのブラケットに調整できる様に接続されたハウジングと、
（ｃ）前記ハウジング内に取り付けられた電子アセンブリと、
（ｄ）前記電子アセンブリの上に取り付けられた方向性を有する光源と、
（ｅ）前記ハウジングを前記サポートのブラケットに関連して選択した位置に角度を調節するため、前記サポートのブラケットと該ハウジングに接続されたカムフォロア／ロック機構と、
を備えている照明アセンブリ。
【請求項２】
前記サポートのブラケットが押し出し成形プラスチック材料から作られ、前記方向性を有する光源がＬＥＤ光源を備えていることを特徴とする請求項１に記載の照明アセンブリ。
【請求項３】
前記電子アセンブリが前記方向性を有する光源と、前記光源の駆動及び熱保護回路を乗せている少なくとも１つの伸びた回路基板を備えていることを特徴とする請求項１に記載の照明アセンブリ。
【請求項４】
前記電子アセンブリが互いに上下にあり平行に配列された少なくとも２つの細長の回路基板を備え、前記回路基板の１つが前記方向性を有する光源を乗せ、前記基板の他のものが前記方向性を有する光源の駆動及び熱保護回路を乗せていることを特徴とする請求項１に記載の照明アセンブリ。
【請求項５】
（ａ）前記の少なくとも２つの伸びた回路基板の間を電気的に接続し最小の間隔を保つ少なくとも１つのはんだ付けピンと、
（ｂ）前記の基板を共通の温度に保ち前記電子アセンブリを機械的に強化するため前記の少なくとも２つの伸びた回路基板の間の熱伝導材料と、
を更に備えていることを特徴とする請求項４に記載の照明アセンブリ。
【請求項６】
（ａ）前記サポートのブラケットが受け台を備え、前記ハウジングは内部空間を定める前記受け台が受ける管を備え、
（ｂ）前記カムフォロア／ロック機構が該ハウジングを回転する力を加えるため前記受け台の底部を通って該内部空間に広がっている、
ことを特徴とする請求項１に記載の照明アセンブリ。
【請求項７】
前記ハウジングに接続された少なくとも２つのガイドを更に備え、前記電子アセンブリが前記ガイドに貼り付けられていることを特徴とする請求項６に記載の照明アセンブリ。
【請求項８】
前記ガイドのそれぞれが前記管に沿って長手方向に広がるクリップを備え、前記管が少なくとも２つのタブを備えており、前記タブのそれぞれが前記電子アセンブリを前記ハウジングに固定するため対応するクリップで噛み合うことを特徴とする請求項７に記載の照明アセンブリ。
【請求項９】
（ａ）前記サポートのブラケットが前記ハウジングと前記サポートのブラケットの間で長手方向に動くことを防ぐため多くのリベットを受ける様に適した多くの円周のリベットを備え、
（ｂ）前記ハウジングが前記カムフォロア／ロック機構に力を加えて前記サポートのブラケットの長さに平行な回転軸の回りにほぼ１１０度まで前記ハウジングを回転させるため前記ハウジングの下側部分に長手方向に角度のついたスロットをさらに備えている、
ことを特徴とする請求項６に記載の照明アセンブリ。
【請求項１０】
前記カムフォロア／ロック機構がヘッドのついたシャフトを備え、前記ヘッドのついたシャフトは前記の長手方向に角度のついたスロットを噛み合せており、更に前記サポートのブラケットの前方部分の回りに広がるインジケータのブラケットと、前記インジケータのブラケットとインターフェイスを行うインターフェイスの表面を有しゴムのＯリングと座金とねじを受けるカウンタボアを有するノブを備え、前記Ｏリングは前記座金とねじと前記ねじの下に配置されていることを特徴とする請求項９に記載の照明アセンブリ。
【請求項１１】
前記ノブの前記インターフェイスの表面が少なくとも２つの傾斜した部分と少なくとも２つの平面部分を備え、平面部分のそれぞれは少なくとも１つのくぼみを有し、更に前記インジケータのブラケットは少なくもと２つの隆起部を備え、隆起部のそれぞれはくぼみのそれぞれに対応し、前記ノブを前記インジケータのブラケットに対して回転させ前記インターフェイスの表面の上で傾斜部分のそれぞれに沿って回転して進み前記くぼみのそれぞれの中に収容される様に適していることを特徴とする請求項１０に記載の照明アセンブリ。
【請求項１２】
前記サポートのブラケットが前記サポートのブラケットの後方に取り付けられている表面に対し一連の光の方向の角度を示すマーキングを有する平らな前方の表面を有し、前記インジケータのブラケットが該光の方向の角度の読取りを与えるため前記サポートの支持ブラケットの上で前記平らな前方の表面に沿って乗っているポインタを備えていることを特徴とする請求項１０に記載の照明アセンブリ。
【請求項１３】
前記長手方向に角度のついたスロットの一部が選択した角度の位置の付近で細かく調整できるようにするため変えられることを特徴とする請求項１２に記載の照明アセンブリ。
【請求項１４】
（ａ）多くのリベットを有するサポートのブラケットを有し、
（ｂ）前記のサポートのブラケットに調整できる様に取り付けられる円筒形のハウジングであって、前記ハウジングは前記リベットを受ける円筒のスロットと、前記ハウジングの下側部分に長手方向に角度のあるスロットを有し、
（ｃ）前記ハウジング内に取り付けられた回路基板と、
（ｄ）前記回路基板の上に取り付けられた一連のＬＥＤと、
（ｅ）前記サポートのブラケットに対しスライドの動きをするため前記長手方向に角度のついたスロット内に配置されたシャフトと、
（ｆ）選択した固定位置に前記シャフトを固定するための手段とを
備え、調整可能な方向性のあるマウントを有した照明アセンブリ。
【請求項１５】
（ａ）サポートの構造体の上に取り付けるように適したサポートのブラケットとを有し、
（ｂ）前記サポートのブラケットに調整できるように接続されたハウジングであって、前記ハウジングは前記ハウジングの下側部分の中に長手方向に角度のついたスロットを有し、
（ｃ）前記サポートのブラケットに対しスライドする動きのため前記の長手方向に角度のついたスロット内に配置されたシャフトと、
（ｄ）選択した固定位置に前記シャフトを固定するための手段とを備えている方向性のある光源のための調整可能な方向性を有したマウント。
【発明の詳細な説明】
【０００１】
【発明の属する技術分野】
この発明は照明システムに関しており、より詳細には航空機の分野の室内照明に適した発光ダイオードのような方向性を有した光源を使用する方向調整可能なマウントを有する照明アセンブリに関する。
【０００２】
【従来の技術】
蛍光性の照明システムが一般に航空機産業で使用されている。この種のシステムの欠点にはランプの破損に関連した価格と高電圧に関連した危険が含まれている。
【０００３】
光源としての発光ダイオード（ＬＥＤ）により、蛍光性のシステムと対照的に重さを殆どか又は全く追加することなく半導体の信頼性、長寿命、少ない熱放散及び少ないエネルギー消費のような幾つかの利点がもたらされる。
【０００４】
ＬＥＤ光源は方向性が強く、蛍光管の回りの光の連続した放射状の分布と対照的に一方向に大部分の光を与えている。多数のＬＥＤをもつ白色ＬＥＤのマウント、位置決め、フィルタリング、及び分布の組合せの設計は美しい光出力を得るために重要である。ダイオード自体の方向特性により、取り付けの僅かな角度変化が照明領域の明るさを変化させる状況が生ずる。フィルタリングは前記ダイオードから放射される光の色温度を従来の光源により生ずる程度よりも暖かい色温度に変えるため使用されており、個々のＬＥＤ間で色温度の変化が注目に値しないようにするため隣り合ったＬＥＤが生ずる光を混ぜることが行われている。
【０００５】
【発明の要約】
照明アセンブリは、例えば航空機の応用における光の流れとして使用するために提供される。１つの態様において、該アセンブリはサポートの構造体の上に取り付ける様に適しており、望ましくは押し出しプラスチック材料から作られているサポートのブラケットを含んでいる。ハウジングは該サポートのブラケットに調整できる様に接続され、電子アセンブリは前記ハウジング内に取り付けられ、ＬＥＤ光源のような方向性のある光源は該電子アセンブリの上に取り付けられている。カムフォロア／ロック機構は該ハウジングを前記サポートのブラケットに関連して選択した位置に角度を調整し、該ハウジングを該選択した位置にロックするため該サポートのブラケットと該ハウジングに接続されている。
【０００６】
望ましくは、該電子アセンブリは互いに上下にあり平行に配列された少なくとも１つ、望ましくは２つの細長の回路基板を含み、該基板の１つがＬＥＤ又はその他の方向性を有する光源を乗せ、その他の基板は該光源の駆動及び熱保護回路を乗せている。
【０００７】
該電子アセンブリは、前記アセンブリが該ハウジング内で受けているエレメント内に２つの取り付けレールをスライドさせることを達成できる様に、エレメント即ち該ハウジングに対する内部の構成にはめ合わされる該２つの取り付けレールを通して該ハウジング内に取り付けられる。
【０００８】
望ましくは、該サポートのブラケットは円筒形である受け台を含み、該ハウジングは内部空間を定める該受け台が受ける管を含んでいる。該カムフォロア／ロック機構は該ハウジングを回転する力を加えるため該受け台の底部を通り該内部空間に望ましく広がっている。該サポートのブラケットは該ハウジング内で多くの円周のスロットに乗って進む多くのリベットを望ましくは含んでいる。長手方向に角度のついたスロットが、該カムフォロア／ロック機構により力を加えられて前記サポートのブラケットの長さに平行な回転軸の回りにほぼ１１０度まで該ハウジングを回転させるため該ハウジングの下側部分に配置されている。
【０００９】
該カムフォロア／ロック機構はヘッドのついた軸を望ましくは含み、該ヘッドのついた軸は前記の長手方向に角度のついたスロットと噛み合わされ、更に前記サポートのブラケットの前方部分の回りに広がるインジケータのブラケットと、該インジケータのブラケットによりインターフェイスを行う表面を有するノブと、座金と前記ねじの下に配置されているゴムのＯリングを受けるカウンタボアを含んでいる。
【００１０】
望ましくは、該ノブの該インターフェイスの表面は傾斜した部分と少なくとも２つのくぼみを有する平面部分を含んでいる。該インジケータのブラケットは、該くぼみに対応した少なくもと２つの隆起部を含み、該隆起部は該ノブを該インジケータのブラケットに対して回転させ該ノブのインターフェイスの表面の上で傾斜部分に沿って回転して進み該くぼみのそれぞれの中に収容される様に適している。
【００１１】
該サポートのブラケットは、該サポートのブラケットの後方に取り付けられている表面に対し一連の光の方向の角度を示すマーキングを有する平らな前方の表面を望ましくは有している。該インジケータのブラケットは、光の方向の角度に読取りを与えるため該サポートのブラケット上で該平らな前方の表面に沿って乗っているポインタを望ましくは含んでいる。
【００１２】
長手方向に角度のついた該スロットの一部は選択した角度の位置の付近で細かく調整できるようにするため変えられる。
【００１３】
他の態様では、方向性のある光源のために調整できる方向のマウントが与えられている。該マウントにはサポートの構造体の上に取り付けるために適したサポートのブラケットと、該サポートのブラケットに調整できる様に取り付けられるハウジングを含んでいる。該ハウジングはその下側部分に長手方向に角度のあるスロットを有している。軸は該サポートのブラケットに対しスライドの動きをするため該長手方向に角度のついたスロット内に配置され、更に該軸を選択した固定位置に固定するための手段が与えられている。
【００１４】
この発明のその他の目的と特徴は、添付の図面に関連した次の詳細な記載から明らかになる。しかし、該図面は説明のみの目的のためであり、この発明を制限する限定として描いていないことを理解する必要がある。
【００１５】
図において、同じ参照の記号は幾つかの図を通して同じエレメントを示している。
【００１６】
【発明の実施の形態】
次に図を詳細に見て、図１から図３までは望ましい実施例の照明アセンブリを示している。アセンブリ１０は、サポートの構造体（図示していない）の上に取り付ける様に適したサポートのブラケット２０と、サポートのブラケット２０に調整できる様に接続されたハウジング４０を含んでいる。サポートのブラケット２０は、押し出しポリカーボネート／ポリエーテルイミド又は寸法安定性あるその他の工業用プラスチック材料の様な押し出しプラスチック材料から望ましくは作られる。望ましくは、サポートのブラケット２０はねじ２６の様なファスナーを通り表面に取り付けるため開口部２４を備えた平らな、又は若干上に反っている側２２を有している。他の側には、ハウジング４０を受ける様に設計された円筒形の受け台２８を望ましくは有している。ハウジング４０は円筒形の受け台２８の曲率半径に対応した曲率半径を有して作られている望ましくは管である。スナップリベット又はその他のファスナー３４はハウジング４０の回りに機械的に作られたスロット３６の様な開口部を通してハウジング４０をサポートのブラケット２０に固定するため使用されている。例えば、スナップリベット３４は受け台２８の底又は側で受け台２８の底３８を通して突き出される。スナップリベット３４は受け台２８内で長手方向にシフトするハウジング４０の外に長手方向の軸に沿って該ハウジング４０が受け台２８の中で回転する様に該ハウジング４０をつかむ。望ましくは回転軸はサポートのブラケット２０の長さＬに平行であり、ハウジング４０は前記軸の回りにほぼ１１０度回転する。例えば、該ブラケットは−１０°から１１０°まで回転でき、０°は直線である。サポートのブラケット２０の第三の側３０は後方の取り付け表面２２に対し一連の光の方向の角度を示すマーキング３２を備えた平らな表面を有している。
【００１７】
ハウジング４０により電子アセンブリ５０が取り付けられている内部空間４２が定められる。ＬＥＤ光源６０の様な方向性を有する光源は電子アセンブリ５０の上に取り付けられている。
【００１８】
電子アセンブリ５０は少なくとも１つ、望ましくは２つ伸びており、互いに平行にしかも上下に配置されており、比較的狭い回路基板５２、５４を含んでいる。実施例に示す様に、上側の基板５４にはＬＥＤ光源６０のＬＥＤが乗せられている。下側の基板５２にはＬＥＤ光源６０用の駆動及び熱保護回路が乗せられている。もう１つの選択肢として、１つの基板に一連のＬＥＤと駆動及び熱保護回路の両方が乗せられる。基板５２と基板５４の間の電気的な接続は、該２つの基板アセンブリ間で不変の最小間隔を作りしかも保持される様にはんだ付けされたピン１０３を使用して望ましくは行われる。シリコン５６の様な熱伝導材料が該基板を同一温度に保ち、２つの基板アセンブリの機械的特性を強くするため基板５２と基板５４の間に望ましくは置かれる。
【００１９】
特別な使用者の要求に容易に適合する基板アセンブリの製造を簡単にするため、回路基板５２、５４の両方ともそれぞれ２つの主要な動作基板５１、５３及び５５、５７に望ましくは分けられる。一般的な又は光の流れとして設計するシステムのため、基本アセンブリはほぼ８．７５インチの長さで、８．７５インチの長さに必要な数のＬＥＤと光の流れのユニットの動作に必要な基本回路を乗せている２つの基板５１、５５を望ましくは含んでいる。追加の基板５３、５７がＬＥＤ及びサポートする電子機器の長さを追加するため望ましくは使用される。該追加の基板は均一の長さに分けることができるセグメントに望ましくは分割される。この様に光の流れユニット（ｗａｓｈ　ｌｉｇｈｔ　ｕｎｉｔ）は長さ方向に選択した最小値、例えば９インチから容易に製造し、１．５インチのように選択した増分を長さ方向に増やすことができる。
【００２０】
電子アセンブリ５０はハウジング４０内のガイド４８に機械的に望ましくは固定され、前記ガイド４８は突き出たポリカーボネート又はその他の工業用材料から望ましくは作られている。望ましくは、ＬＥＤ基板５４の長い先頭の端はガイド４８に接着剤でつけられている。この様な設備により該基板アセンブリに硬さを与え、該基板アセンブリをハウジング４０に固定する取り付けの構成が与えられる。ガイド４８のそれぞれは、図２に示す様に、クリップの形であることが望ましく、押し出し部の長さを走り、ハウジング４０の内部に２つのタブ４９により噛み合わされる。機械的な構造に加えＬＥＤ基板５４とガイド４８の間を接着剤でつけるインターフェイスは、ハウジング４０に対し伝導性の熱伝導のための熱インターフェイスを形成している。
【００２１】
ハウジング４０を回転する力は、サポートのブラケット２０とハウジング４０に接続されているカムフォロア／ロック機構７０を通して加えられる。カムフォロア／ロック機構７０は受け台２８の底を通りハウジング４０の中に伸びている。カムフォロア／ロック機構７０により、照明アセンブリ１０を航空機又はその他の乗り物へ取り付ける前又は後のいずれでも、該取り付けはＬＥＤ６０の方向のポイントに設定され、該方向に該アセンブリをロックする。ある角度に下げられ、ハウジング４０の低い部分に沿って一般に長手方向に伸びるスロット４４は該カムの表面に与えられ、該フォロアは乗せて動かす力を該カムの表面に与える。
【００２２】
カムフォロア／ロック機構７０はハウジング４０内で長手方向に角度のついたスロット４４と噛み合う又は捕らえるヘッドのついたシャフト７２と、インジケータのアセンブリ７３を望ましくは含んでいる。もう１つの選択肢として、図５Ａに示す様に、カムフォロア／ロック機構７０はインジケータのアセンブリの外にロックアセンブリ７５を含み、インジケータのアセンブリ７３は除かれるか又は図１に示す様に該ロックアセンブリ７５から離して作ることができる。インジケータのアセンブリ７３は、インジケータのブラケット７４、ノブ７６、ゴムのＯリング７８、座金８０及びねじ８２を望ましくは含んでいる。
【００２３】
図６Ａに示す様に、ノブ７６はインジケータのブラケット７４とインターフェイスを有するインターフェイスの表面８４を望ましくは有している。図３、図６Ｂに示す様に、ノブ７６はＯリング７８、座金８０及びねじ８２を受けるためのカウンタボア８６を有している。Ｏリング７８は下に置かれており、更にロック機構にバネの引張りを与えるため、座金８０とねじ８２により閉じ込められている。引張りを与えるためのバネ又はその他のデバイスは、Ｏリングの代わりに置く事ができる。
【００２４】
特別な長さを必要とする場合、長手方向に角度のあるスロットの代わりに周囲にスロットとインターフェイスを有して該ロック機構が間隔を置いて加えられる場合がある。図５Ａに示す実施例で、インジケータのブラケット７４はポインタ又はインジケータ部材のないインジケータのブラケット７４を変形した形のブラケット７４’に置き換えられている。図５Ｂに示す様に、ブラケット７４’は後方の取り付けの表面２２とサポートのブラケット２０の第三の平らな側３０との間にあるサポートのブラケット２０の中に取り付けられる。
【００２５】
ロック状態はインジケータのブラケット７４に対しノブ７６を回転することにより生ずる。図６Ａと図６Ｃに示す様に、ノブ７６のインターフェイスの表面８４は少なくとも２つの傾いた部分、即ち直線の傾斜面８８と、少なくとも２つの平らな部分即ちメサ（ｍｅｓａ）９０を含み、平らな部分９０のそれぞれは少なくとも１つの球面の切り取り即ちへこみ９２を有している。図６Ｂに示す様に、インジケータのブラケット７４には、へこみ９２に対応した少なくとも２つの球面の盛り上がった突出部、即ちバンプ９４が乗せられている。突出部９４はインジケータのブラケット７４に対しノブ８６を回転する時、ノブのインターフェイスの表面８４の上で傾いた部分８８に沿って回転しながら進み、平らな部分９０内の整合するへこみ９２の中で受ける様に適している。突出部９４はノブ７６に対し手動の力による回転のみに打ち勝つ押し込み式のロックを与えるＯリング７８の圧縮によりへこみ９２内に押しつけられる。
【００２６】
もう１つの選択肢として、ノブ７６には突出部９４を与え、インジケータのブラケット７４にはそれに対応するへこみ９２を与えることができる。
【００２７】
ハウジング４０は、カムフォロア／ロック機構に力が加えられる時、図４に示す様にハウジング４０とサポートのブラケット２０の間で、相対的に長手方向に動くことを防ぐためリベット３４を受ける望ましくは円形のスロット３６が与えられている。回転は長手方向に角度のあるスロット４４を通してヘッドのついたシャフト７２を乗せて動くカムフォロア／ロック機構７０から生ずる。図４Ａと図４Ｂに示す様に、リベット３４は後方に取り付けられている表面２２と、サポートのブラケット２０の第三の平らな側３０の間にあるサポートのブラケット２０に取り付けられている。
【００２８】
インジケータのブラケット７４は、サポートのブラケット２０の前方の回りに広がる該インジケータのブラケット７４の上のポインタ９６を望ましくは含んでいる。ポインタ９６は角度のついたスロット４４内でヘッドのあるシャフト７２の長手方向の位置に対応した光の方向の角度の読み出しを与えるため、サポートのブラケット２０の前方にある平らな表面３２に沿って乗せられる。カムロック機構７０がある側から光の方向を変える側にスライドされる様に、平らな表面３０の上のマーキング３２は、サポートのブラケット２０の後方の取り付けの表面２２に対し光の方向を示す角度読み取りを与える。望ましくは、カムのスロットの角は０度と９０度の位置が最も一般的な取り付けの方向であるので、これらの位置の間で細かい調節を与える様に変えることができる。
【００２９】
図５Ａに示す様に、円周方向のスロット４６に取り付けられたカムフォロア／ロック機構を含むロックアセンブリ７５が、長手方向のカムのスロット４４の代わりに、ハウジングの管が振動のある状態で回転しない様に十分な保持力を与えるため、該ユニットの長さに沿って必要により置かれる。
【００３０】
好ましくは、レンズ１００がＬＥＤの光源６０を覆うようにハウジング４０の上に置かれている。色とＬＥＤを覆うレンズ１００の構造を変えることにより、色温度補正と拡散を得ることができる。望ましくは、レンズ１００は澄んだ又は色合いの有る材料から作られた長いみぞ形のシートになるプラスチック材料であり、円筒形の膨張部１０２内で両方の底のかどに沿って末端をなすプラスチック材料から突き出ている。円筒形の膨張部１０２は、ＬＥＤが広がる開口部に隣り合ったハウジングの管４０の開いた端の上に作られているクリップ形の構造と連絡するタブの役目をしている。レンズ１００は、該端から長手方向でハウジング４０の中にスライド又は該クリップ形の構造体の中に締まる。レンズ１００に対し拡散特性を与える技術には、横への拡散を改善するため、該レンズ内の全表面を通り、又は横の内部の表面のみに沿い、表面の構造物を加えることが含まれる。
【００３１】
該ユニットの両端では、エンドキャップ１１０が該ハウジング４０の横方向の開口部とレンズ１１０を密閉するため該アセンブリに望ましくは接着又はしっかり締め付けられる。ハウジング４０の管のそれぞれの端には、一方の端が雄形で向い合った側の端が雌形であるコネクタ１１６と１１８にワイヤ１１４が出て行くつぎ輪１１２が望ましくは乗せられている。この配置によりユニットを容易に取り付け、端と端を電気的に接続することができる。
【００３２】
望ましくは、照明アセンブリ１０の取り付けには、直流２８Ｖから電源が供給されている時、追加の電源の供給又はコンバータを必要としない。該ユニットは端と端を取り付けて接続されて、中断しない光の流れを提供する。熱膨張をゆるすため、最小のクリアランスがユニット間に必要である。種々の調光システムが該ユニットとインターフェイスを行う様に与えられ、これにより光は０％から１００％まで変えられる。
【００３３】
当業者に明らかな様に、今まで述べた方向調整可能な該取り付けは発光ダイオード以外で異なる方向の光源を取り付けるため使用することができる。該取り付けには、望ましくは多くのリベット３４を有し、サポートの構造体（図示していない）の上に取り付ける様に適しているサポートのブラケット２０を含んでいる。円筒形とすることができるハウジング４０はサポートのブラケット２０を調整できる様に取り付け即ち接続されている。ハウジング４０は該ハウジングの下側部分に長手方向に角度のあるスロット４４と、リベット３４を受ける望ましくは円形のスロット３６を有している。シャフト７２はサポートのブラケット２０に対してスライドしながら動く様にするため長手方向に角度のあるスロット４４内に置かれている。例えば、インジケータのアセンブリ７３である様な手段も、選んだ固定の位置にシャフト７２を固定するため与えられる。方向を調節できる該マウントはあらゆる方向の光源を取り付ける様に適することができる。例えば、ＬＥＤの場合、一枚又は複数の回路基板５２、５４はハウジング４０の中に取り付けられ、一連のＬＥＤは該回路基板の上に取り付けることができる。
【００３４】
この発明の幾つかの実施例を示し記載したが、この発明の精神及び範囲をそれることなく、記載した請求項に定める様に多くの変更や修正を行うことができることを理解できる。
【図面の簡単な説明】
【図１】この発明の実施例の正面図である。
【図２】図１の実施例の断面図である。
【図３】カム機構を示す図１の実施例の正面の分解図である。
【図４Ａ】図１の実施例に使用するスナップ形リベットのアセンブリの分解図である。
【図４Ｂ】図４Ａの領域Ｉの拡大図である。
【図５Ａ】他の実施例に使用するロックアセンブリの分解図である。
【図５Ｂ】図５Ａの領域ＩＩの拡大図である。
【図６Ａ】図１の実施例に示すインジケータ／ロックのアセンブリの先頭と底からの拡大図であり、ほぼロックしていない状態を示す図である。
【図６Ｂ】図１の実施例に示すインジケータ／ロックのアセンブリの先頭と底からの他の拡大図であり、ほぼロックしていない状態を示す図である。
【図６Ｃ】図１の実施例に示すインジケータ／ロックのアセンブリの先頭と底からの他の拡大図であり、ほぼロックしていない状態を示す図である。
【符号の説明】
１０　アセンブリ
２０　サポートのアセンブリ
２２　若干上に反っている側
２４　開口部
２８　受け台
３０　ブラケットの第三の側
３２　マーキング
３４　ファスナー
３６　スロット
３８　受け台の底
４０　ハウジング
４２　内部空間
４４，４６　スロット
４８　ガイド
４９　タブ
５０　電子アセンブリ
５１，５３，５５，５７　主要な動作をする基板
５２，５４　回路基板
５６　シリコン
６０　ＬＥＤ光源
７０　カムフォロア／ロック機構
７２　シャフト
７３　インジケータのアセンブリ
７４　インジケータのブラケット
７５　ロックアセンブリ
７６　ノブ
７８　ゴムのＯリング
８０　座金
８２　ねじ
８４　インターフェイスの表面
８６　カウンタボア
９０　平らな部分
９２　へこみ
９４　突出部（バンプ）
９６　ポインタ
１００　レンズ
１０２　円筒形の膨張部
１０３　ピン
１１０　エンドキャップ
１１２　つぎ輪
１１４　ワイヤ
１１６，１１８　コネクタ
【図１】
2004006274.tif 000003
【図２】
2004006274.tif 000004
【図３】
2004006274.tif 000005
【図４Ａ】
2004006274.tif 000006
【図４Ｂ】
2004006274.tif 000007
【図５Ａ】
2004006274.tif 000008
【図５Ｂ】
2004006274.tif 000009
【図６Ａ】
2004006274.tif 000010
【図６Ｂ】
2004006274.tif 000011
【図６Ｃ】
2004006274.tif 000012
【外国語明細書】
2004006274.tif 000013
2004006274.tif 000014
2004006274.tif 000015
2004006274.tif 000016
2004006274.tif 000017
2004006274.tif 000018
2004006274.tif 000019
2004006274.tif 000020
2004006274.tif 000021
2004006274.tif 000022
2004006274.tif 000023
2004006274.tif 000024
2004006274.tif 000025
2004006274.tif 000026
2004006274.tif 000027
2004006274.tif 000028
2004006274.tif 000029
2004006274.tif 000030
2004006274.tif 000031
2004006274.tif 000032
2004006274.tif 000033
2004006274.tif 000034
2004006274.tif 000035
2004006274.tif 000036
2004006274.tif 000037
2004006274.tif 000038
2004006274.tif 000039
2004006274.tif 000040
2004006274.tif 000041
2004006274.tif 000042
2004006274.tif 000043
2004006274.tif 000044
2004006274.tif 000045
2004006274.tif 000046
2004006274.tif 000047
2004006274.tif 000048
2004006274.tif 000049
2004006274.tif 000050
2004006274.tif 000051
2004006274.tif 000052
2004006274.tif 000053